(57)【要約】【課題】  発射球が遊技者から見て右回り、すなわち時計回りであった従来の遊技台の盤面構成を刷新するとともに、中央表示装置のモニターの大型化に対応できるように遊技盤面をできるだけ拡大した遊技台を開発する。【解決手段】  遊技球が遊技者から見て右下から左回り、すなわち反時計回りに発射されるように発射装置を遊技台の左下に設けて遊技球を略垂直上方に発射可能とし、従来ガイドレールの位置していた部分にまで遊技盤面を拡大した遊技台を提供する。【選択図】        図１
2005224483.tif 000002
【特許請求の範囲】
【請求項１】
遊技台において、遊技者から見て遊技盤の右下に遊技球を略垂直上方に発射する遊技球の発射装置を有し、遊技球を左回り、すなわち遊技者から見て反時計回りに回転させるレール部を有することを特徴とする左回りレール部を有する遊技台。
【請求項２】
遊技球の排出口を通常の遊技盤面における排出口より少なくとも１．５ｃｍ以上下方に下げることにより遊技盤面を拡大したことを特徴とする請求項１に記載の左回りレール部を有する遊技台。
【請求項３】
上記レール部が、全体として略長円形状に構成されていることを特徴とする請求項２に記載の左回りレール部を有する遊技台。
【発明の詳細な説明】
【技術分野】
【０００１】
本発明は遊技台の遊技盤面に関するものであり、さらに詳しくは、遊技台において、遊技台の遊技者から見て右下に遊技球を略垂直上方に発射する遊技球の発射装置を有し、遊技球を左回り、すなわち遊技者から見て反時計回りに回転させるレール部を有することを特徴とする左回りレール部を有する遊技台、あるいは、遊技球の排出口を通常の遊技盤面における排出口より少なくとも１．５ｃｍ以上下方に下げることにより遊技盤面を拡大したことを特徴とする上記の左回りレール部を有する遊技台、あるいは、上記レール部が、全体として略長円形状に構成されていることを特徴とする上記の左回りレール部を有する遊技台に関するものである。なお、以後の記述において、前後、左右、上下等の空間における位置関係を表現する記載は、特にことわりのない場合においても、すべて遊技者を基準として、遊技者から見て前後、左右、上下等の意味で用いるものである。
【背景技術】
【０００２】
通常の遊技盤は、図７に示すように、遊技台１００の右下にハンドルＨがあり、ハンドルＨからの操作情報により遊技球（図示せず）を発射する発射装置６１０を設けた発射機構部６００がハンドルＨの略上部にあり、発射機構部６００からガイドレール６２０が左上方に延伸されて遊技台１００の遊技盤面４００のレール部５００の左下の始端γと接続されており、遊技盤面４００のレール部５００は略円形状で、発射装置６１０から発射された遊技球（図示せず）はレール部５００を遊技者から見て右回り、すなわち時計回りに回転するという構成のものである。なお、遊技球（図示せず）は外レール５１０と内レール５２０からなるレール部５００の頂上付近にて遊技盤面４００に落下し、複雑な構成の遊技盤面４００においてあるいは釘Ｎに弾発され、あるいは風車Ｆ、役物Ｙ１、Ｙ２を通過する等の動きを経過するが、入賞始動装置４２０や可変入賞装置４４０や複数の普通入賞装置４３０に入らなかった遊技球（図示せず）は遊技盤面４００の最下部に設けられた排出口４５０に入り、回収される。
【０００３】
なお、４１０は遊技盤面４００の略中央に設けられ、モニターＭ´を有する中央表示装置、２００は下部に上部球受皿２２０が設けられる前枠、２１０は窓部、３００は下部に下部球受皿３１０が設けられる外枠、２３０は上部球受皿２２０に遊技球（図示せず）を供給する球出口、２４０は上部球受皿２２０から下部球受皿３１０に遊技球（図示せず）を移送する球出口、２５０は発射装置６１０に遊技球（図示せず）を供給する球供給口、３２０は下部球受皿３１０に遊技球（図示せず）を供給する球出口、Ｃは灰皿、Ｇはガラス、Ｓは遊技球（図示せず）のストッパー、ｍは電飾モールである。また、発射装置６１０にはソレノイド（図示せず）、あるいはモーター（図示せず）で駆動されるハンマー６１１機構が用いられるのが一般的である。この種の遊技台の例としては、下記特許文献１に記載されている「パチンコ遊技機」があげられる。
【０００４】
叙上のように、遊技球がレール部を、遊技者から見て右回り、すなわち時計回りに回転するという構成は、遊技台が発明された当初からのもので、遊技盤面の構成が複雑化し、機構の多くが電子技術化された現代においても、該構成、すなわち遊技球が右回りに運動するという構成のみは不変であり、したがって発射装置の位置や角度にもあまり大きな変化は見られなかった。すなわち、いわゆるパチンコという遊技は、レール部にガイドされる発射直後の遊技球の運動経路のみは一定不変であり、この遊技球の運動経路には一切変化を加えることなく、遊戯盤面の複雑化と機構の電子技術化のみを求めて現在にまで至っていると言い得るのである。
【０００５】
しかしながら、近年、電子技術化がますます進化発展するにつれて、遊技盤面の中央に位置する中央表示装置の果たす役割が、従来とは比較にならない程重要なものとなってきた。中央表示装置は従来の機械的表示機構からモニターを用いた画面表示機構に変わり、モニターに表示される情報は、複雑化の一途を辿りつつある。いわゆるパチンコという遊技は、従来は、複雑な遊技盤面に植設された釘や風車に弾発される遊技球が入賞装置に入る、その遊技球そのものの動きを楽しむことが主眼の遊技であったが、現在においては、遊技者の視線は遊技球の動きに従って変化する中央表示装置のモニターに専ら集中させられ、いわゆるテレビゲーム的な要素が非常に強いものに変化してきている。
【０００６】
これに伴い、中央表示装置のモニターは、近年ますます大型化する傾向にある。しかしながら、遊技盤面全体の面積は限られているので、大型化にも限界があり、現在の大きさが物理的にも一つの上限を示しているということができる。すなわち、遊技球の運動経路や、釘や風車、各種の入賞装置の配置を考えると、中央表示装置のモニターがこれ以上大型化した場合、遊技球の経路の方が限定されて、パチンコという遊技の基本の部分が成立し得なくなるという意味で、中央表示装置のモニターの大きさに限界が来ているといわざるを得ない。したがって、中央表示装置のモニターの大型化に対して、なお遊技球の運動経路を充分に確保するためには、遊技球の運動経路を含む遊技盤面の構成そのものから考え直す必要があるという時点に至っているのである。
【０００７】
下記特許文献２、特許文献３には、遊技台の左下部分から略垂直上方に遊技球を発射する遊技台（特許文献２の「発射装置及びそれを有する遊技機」、特許文献３の「パチンコ機」）が記載されている。しかし、せっかく発射装置を従来の遊技台（例えば特許文献１に記載されている「パチンコ遊技機」）とは異なる場所に設け、遊技球の発射角度も従来の遊技台と大きく変化させていながら、特許文献２の「遊技機」の盤面構成は従来の遊技台と全く同一で、遊技者には発射位置や発射角度の変化は感じることができない。また、遊技盤面（特許文献２の「ゲージ部」）も拡大されていない。特許文献３の「パチンコ機」においては、レール（内レールと外レール）の構成にやや変化がみられ、遊技盤面（特許文献３の「遊技盤」）も下部が若干左右に拡大されているが、全体としては従来の遊技台と余り変わらない印象である。すなわち、特許文献２の「遊技機」も特許文献３の「パチンコ機」も、発射位置や発射角度の変化を遊技盤面の盤面構成に充分に反映させているとはとても言い難い構成となっている。
【特許文献１】特開２００３−２３０７２６
【特許文献２】特開２００３−１８０９７０
【特許文献３】特開平１１−９７７９
【発明の開示】
【発明が解決しようとする課題】
【０００８】
叙上のような状況に鑑みて、本発明の課題を、次のように設定した。
＜課題１＞
遊技球の運動経路が、遊技者からみて右回り、即ち時計回りである現在の遊技台の遊技盤面の構成を根本的に変化させ得るような盤面構成を提供する。
＜課題２＞
中央表示装置の画面の大型化の欲求に応えるために、遊技台の遊技盤面の構成を基本的に考え直し、中央表示装置のモニターを現状からさらに大型化しても、なお遊技球の運動経路を充分に確保できる盤面の構成を提供する。
【課題を解決するための手段】
【０００９】
本発明は、上記課題を解決するためになされたものであり、次に示す解決手段を提供するものである。
＜解決手段１＞
遊技台において、遊技者から見て遊技盤の右下に遊技球を略垂直上方に発射する遊技球の発射装置を有し、遊技球を左回り、すなわち遊技者から見て反時計回りに回転させるレール部を有することを特徴とする左回りレール部を有する遊技台。
＜解決手段２＞
遊技球の排出口を通常の遊技盤面における排出口より少なくとも１．５ｃｍ以上下方に下げることにより遊技盤面を拡大したことを特徴とする請求項１に記載の左回りレール部を有する遊技台。
＜解決手段３＞
上記レール部が、全体として略長円形状に構成されていることを特徴とする請求項２に記載の左回りレール部を有する遊技台。
【発明の効果】
【００１０】
本発明の解決手段１によれば、遊技台において、遊技台の遊技者から見て右下に遊技球を略垂直上方に発射する遊技球の発射機構部を有し、遊技球を左回り、すなわち遊技者から見て反時計回りに回転させるレール部を有することを特徴とするので、従来の遊技球を右回り、すなわち遊技者から見て時計回りに回転させるレール部を有する遊技台の遊技盤面に比較して極めて新規性があり、遊技者に新鮮な興味を与え得るとともに、全く新たな盤面構成を可能とするものである。すなわち、いわゆるパチンコという遊技が始まって以来の大きな盤面構成の変化を与え得るという革新的な効果を齎すものである。
【００１１】
同じく本発明の解決手段１によれば、遊技球が、遊技台の右下に位置する発射機構部から略垂直上方に発射されることになるので、従来の遊技台において、遊技球の排出口の下部において発射装置から遊技盤面のレール部の始端まで延伸されていたガイドレールが、発射装置の直上に設けられることとなり、これまで該ガイドレールに占められていた上記排出口の下部のスペースが盤面構成の一部として使用可能となった。したがって、これにより、遊技盤面を大きく拡大する余地が生じ、全く新たな盤面構成を試みる可能性が生まれた。
【００１２】
本発明の解決手段２によれば、遊技球の排出口を通常の遊技盤面における排出口より少なくとも１．５ｃｍ以上下方に下げることにより遊技盤面を拡大したので、全く新たな盤面構成を試みる可能性が生まれた。具体的には、遊技球の運動経路を充分に確保しつつ、中央表示装置のモニターを現在よりさらに大型化する可能性が生じた。また、釘や風車や各種の入賞装置等の構成や配置にもさらなる新たな工夫を加えることができるようになった。なお、排出口を通常の遊技盤面における排出口より下げる距離は、２ｃｍ、２．５ｃｍ、３ｃｍ、３．５ｃｍ、４ｃｍ、４．５ｃｍ、５ｃｍ、５．５ｃｍ、６ｃｍ、６．５ｃｍ、７ｃｍ、７．５ｃｍ、８ｃｍ、８．５ｃｍ、９ｃｍ、９．５ｃｍ、１０ｃｍ、１０ｃｍ以上等の各種の値をとり得るものであるし、上記各種の値の昼間の値も無論とり得るものである。
【００１３】
本発明の解決手段３によれば、上記レール部が、全体として略長円形状に構成されているので、従来のレール部が略円形状に構成されている遊技台に比較して、遊技球の運動経路を充分に確保しつつ、中央表示装置のモニターを現在よりさらに大型化する可能性が生じた。また、釘や風車や各種の入賞装置等の構成や配置にもさらなる新たな工夫を加えることができるようになった。さらに、盤面構成を斬新なものとしても、レール部上部における遊技球の運動経路は、回転方向の変化以外はあまり変わらないので、遊技者は、従来の遊技台と余り違和感なく遊技を楽しむことができるものである。
【発明を実施するための最良の形態】
【００１４】
本発明を実施するための最良の形態を、以下に図面を参照しながら詳細に説明する。
【実施例１】
【００１５】
＜実施例１の構成＞
図１は本発明の実施例１の遊技台１の正面図である。図１に示すように、遊技台１は正面から見た場合、下部に上部球受皿２２が設けられる前枠２と下部に下部球受皿３１が設けられる外枠３、前枠２の中央大部分を切除して設けられた窓２１、窓２１に嵌合されたガラスＧ、窓２１の中央大部分に露出された略長円形状の遊技盤面４から構成されている。遊技盤面４は前枠２よりも奥、すなわちガラスＧの背面側に構成され、略長円形状のレール部５により囲繞されている。レール部５は、遊技盤面４の右端部分から上部を囲繞する外レール５１と外レール５１との間に通路Ｐを形成して遊技盤面４の上端部分を除く周囲を囲繞する内レール５２ａ（遊技者から見て右側を囲繞）、内レール５２ｂ（遊技者から見て左側を囲繞）から構成されている。また、遊技盤面４の左上部の外レール５１と内レール５２ｂの接続地点に設けられたＳは、遊技球Ｑのストッパーである。さらに、後述の発射機構部６の上方には前枠２に掩覆された形でガイドレール部５３が設けられていて、外レール５３ａと内レール５３ｂの間に下方に向かうにしたがい広くなる通路５３ｃが形成されており、また、外レール５３ａと外レール５１は連続して形成され、内レール５３ｂは点δにて内レール５２ａの外側に接している。なお、ｍは電飾モール、Ｌは飾りランプ、Ｈはハンドル、Ｋは飾りである。
【００１６】
遊技盤面４の盤面構成は以下のとおりである。すなわち、遊技盤面４の略中央にモニターＭを有する中央表示装置４１が設けられており、モニターＭの周囲は立体的に遊技盤面４から膨出する複雑な模様の枠体Ｗにて囲繞されている。中央表示装置４１の直下には入賞始動装置４２が設けられており、さらにその直下には可変入賞装置４４が設けられ、入賞始動装置４２の左右には普通入賞装置４３，４３が設けられている。なお、これらの中央表示装置４１、入賞始動装置４２、普通入賞装置４３，４３、可変入賞装置４４の作用は従来の遊技台（例えば前記特許文献１）のそれと略同一である。また、遊技盤面４には、この他、複数の釘Ｎが植設され、風車Ｆや役物Ｙ１、Ｙ２が配設されている。なお、４５は、入賞始動装置４２、普通入賞装置４３，４３、可変入賞装置４４のいずれにも入らなかった遊技球Ｑを遊技盤面４から排出する排出口で、内レール５２ａと内レール５２ｂの中間の、遊技盤面４の最下点に設けられている。
【００１７】
２２は後述の発射機構部６に遊技球Ｑを供給する上部球受皿であり、略長方形の皿状で前枠２の下部に遊技者の側に向かって膨出するように形成されており、右端部分では徐々に膨出の度合いが少なくなり、最右端部の発射機構部６の近傍では、上部球受皿２２の内部は遊技球Ｑ１個分の奥行きとされ、これにより遊技球Ｑを１列に整列させる球整流装置の作用を果たすように構成されている（詳細は図３参照。図３にては、待機球Ｑ２、Ｑ２、…が一列に整列させられている状態を表示している）。また、上部球受皿２２の底面２２ａは遊技者から向かって左方から右方にいくにしたがって低くなるようにテーパーが付されており（図１参照）、上部球受皿２２に貯留された待機球Ｑ２（図２参照）が球入口６４から発射機構部６に自然に導入されるように構成されている。なお、図１にて、２３は遊技球Ｑを上部球受皿２２に供給する球出口、２４は上部球受皿２２に貯留された遊技球（図示せず）を後述の下部球受皿３１に導くための球出口、２５は発射機構部６の射出力不足により遊技盤面４内に案内されなかった遊技球Ｑを溢れ球戻り通路６３を通じて上部球受皿２２に還流させるための球出口である。また、３１は上部球受皿２２に貯留し切れなかった遊技球Ｑを貯留するための下部球受皿であり、略長方形の皿状で外枠３の下部に遊技者の側に向かって膨出するように形成されている。３２は上部球受皿２２の球出口２４と連通せる球出口であり、球出口３２から遊技球Ｑが下部球受皿３１に供給される。なお、下部球受皿３１の左隣のＣは灰皿である。
【００１８】
ハンドルＨの上方に位置する６は発射機構部で、前枠２の背面部に設けられ、発射装置６１と球供給装置６２から構成される。発射機構部６の詳細は図２、図３に示すとおりで、発射装置６１と球供給装置６２は前枠２と基板８（図３参照）に挟まれた空間内に構成されている。発射装置６１はソレノイド６１ａで、６１ｂは上下動するハンマーであり、ハンマー６１ｂが上向きになるように基板８に固着されている。発射装置６１は、垂直線Ｙ（図２参照）から微小角αだけ右方に傾いて設けられており、実施例１では微小角αは約１４°であるが、１０°〜１８°の範囲の値をとり得るものであり、１２°〜１６°の範囲の値がより望ましい。この数値限定の根拠は、微小角αが１０°を下回ると、前述のガイドレール部５３の構成において、通路５３ｃの下部の幅が狭くなりすぎて戻り球Ｑ３を受けるための構成（後述の受台６２ｋ等）の設計が困難になり、微小角αが１８°を上回ると、発射装置６１と球供給装置６２の全体が下方にずれこんできて、ハンドルＨの構成に近くなりすぎ、また、上部球受皿２２の球入口６４と球供給装置６２の位置関係を設定するのが困難になるからである。
【００１９】
球供給装置６２は遊技者から見て発射装置６１のすぐ左に位置し、基板８（図３参照）に回転自在に取付けられた軸６２ｂに固着されたローラー６２ａと基板８に回転自在に取付けられた軸６２ｄに固着されたローラー６２ｃとの間にベルト６２ｅを架け、ベルト６２ｅに複数の突片６２ｆ、６２ｆ、…をベルト６２ｅに直角方向に固着したもので、軸６２ｂと軸６２ｄを結ぶラインβ（図２参照）は垂直線Ｙに対してソレノイド６１ａと同一の傾きを有している。また、隣接する突片６２ｆ、６２ｆの間隔は、待機球Ｑ２の直径よりやや大に設定されている。この球供給装置６２は右上部を除く周囲を前枠２（図３参照）と基板８の間隔と同一の奥行きを有する外枠６２ｇに囲繞されており、また正面側を前枠２の背面に、背面側を基板８の正面に、夫々掩覆されており、外枠６２ｇの上方は右に延伸されて内レール５３ｂの下端部に一体に接続され、外枠６２ｇの右方は上端が発射装置６１の直上に設けられた発射台６２ｉに９０°の角度をもって一体に接続されている。なお、軸６２ｂと軸６２ｄは、図示しないステッピングモーターにより、遊技者から見て右方向（時計回り）に同一速度で駆動させられるが、該ステッピングモーターの運動速度は、ソレノイド６１ａの動きと連動しており、ソレノイド６１ａのハンマー６１ｂが１回上下動するごとに突片６２ｆ、６２ｆ、…が１コマずつ進むようにベルト６２ｅを駆動するように設定されるものである。なお、ここでいう１コマとは、隣接する突片６２ｆ、６２ｆの間隔分をいう。
【００２０】
６２ｉは発射装置６１の直上に設けられた発射台で、左端が球供給装置６２の外枠６２ｇの右方上端に直角に接続されており、したがって発射台６２ｉはソレノイド６１ａのハンマー６１ｂの軸線に直交して設けられている。したがって、水平線Ｘ（図２参照）に対しては、微小角αだけ傾いて設けられていることとなる。発射台６２ｉの下面はハンマー６１ｂの上端に略接する位置に設けられるが、ハンマー６１ｂが発射台６２ｉの下面に略接する位置には、発射球Ｑ１の直径よりやや小の孔６２ｈが穿設されていて、発射球Ｑ１の下部が孔６２ｈに嵌入するように設定されている。発射台６２ｉの孔６２ｈのすぐ右の上面には発射球Ｑ１の直径よりやや小の高さのストッパー６２ｊが上方に突設されており、発射台６２ｉはこの位置にて受け台６２ｋと一体に接続されている。
【００２１】
受け台６２ｋはストッパー６２ｊの位置にて左端が発射台６２ｉの右端と一体に接続されており、受け台６２ｋの左端部は発射台６２ｉと同一の角度で傾斜しているが、中央やや左の部分で屈曲して右端部は略水平となっている。ただ、中央やや左の部分から、後端部が低下して、右端部においては前端部から後端部に向かうにしたがって低くなるようにテーパーが付されており、最右端には直立するストッパー６２ｌが受け台６２ｋと一体に上方に突設されている。ストッパー６２ｌは、前端部の高さは戻り球Ｑ３よりやや小であるが、その上面が水平なので後方にいくにしたがって高さが増し、後端部の高さは戻り球Ｑ３の直径よりやや大となる。受け台６２ｋの右端部分の後端部の基板８（図３参照）には１辺が戻り球Ｑ３の直径よりやや大の略正方形状の球入口６３ａが穿設されていて、球入口６３ａは基板８の背面側に設けられた溢れ球戻り通路６３に接続されている。溢れ球戻り通路６３は、１辺が戻り球Ｑ３の直径よりやや大の略正方形状の断面を有する通路で、受け台６２ｋの右端部分に開口する球入口６３ａと上部球受皿２２の中央より右寄りの部分に開口する１辺が戻り球Ｑ３の直径よりやや大の略正方形状の球出口２５を連絡している。
【００２２】
ガイドレール部５３は、前述のように、発射機構部６の上方に構成されているが、内レール５３ｂの下端部は球供給装置６２の外枠６２ｇの上方部分の右端と一体に接続されており、外レール５３ａは最下端部が受け台６２ｋの中央部分よりやや右寄りの部分の上方に位置しており、受け台６２ｋの上面から外レール５３ａの最下端までの間隔は戻り球Ｑ３の直径の３倍程度である。前述のように、ガイドレール部５３の内レール５３ｂと外レール５３ａの間隔（通路５３ｃの幅）は下方に向かうほど拡張されており、外レール５３ａの最下端付近にては、内レール５３ｂと外レール５３ａの間隔は戻り球Ｑ３の直径の２倍弱となっている。
【００２３】
＜実施例１の作用＞
図１に見るように、上部球受皿２２の底面２２ａには右方に向かうほど低くなるようにテーパーが付されているので、図２、図３に見るように上部球受皿２２の底面２２ａに貯留された待機球Ｑ２、Ｑ２、…は右方に転動する。さらに、上部球受皿２２の内部は前述のように、右方に向かうにしたがって奥行きが狭くなり、最右端部にては待機球Ｑ２の１個分程度の奥行きとなっているので、待機球Ｑ２、Ｑ２、…は１列に整列する。最右端の待機球Ｑ２は前枠２に穿設された球入口６４（図３参照）から前枠２の背面に入るが、そこには球供給装置６２の最下端部が位置しており、待機球Ｑ２は時計周りに回転する突片６２ｆに載上されて上方に運搬される。球供給装置６２の最上端部まで運搬された待機球Ｑ２は、球供給装置６２の最上端部の右方にて突片６２ｆの傾斜により発射台６２ｉ上に移動する。発射台６２ｉにおいては、最右端において孔６２ｈ（図２参照）に嵌入された状態の発射球Ｑ１の下部に位置するハンマー６１ｂがソレノイド６１ａの作用により瞬間的にＡ方向に駆動されると、ハンマー６１ｂの先端が発射球Ｑ１の下端を直撃し、発射球Ｑ１は急激にＡ方向に弾発されてガイドレール部５３の通路５３ｃを上昇する。なお、ストッパー６２ｊは発射球Ｑ１が孔６２ｈから外れて受け台６２ｋ方向に転動しないように発射球Ｑ１を係止する作用を有するものである。
【００２４】
発射球Ｑ１は図１において遊技球Ｑとなり、内レール５２ａと外レール５１の間の通路Ｐを上昇し、その経路は外レール５１に沿って左方に湾曲する。遊技球Ｑの殆どは遊技盤面４の最上部において外レール５１から離れて遊技盤面４に落下するが、高速度の遊技球Ｑは遊技盤面４の最上部においても外レール５１から離れず、ストッパーＳに弾発されて遊技盤面４に落下する。その後の遊技球Ｑの経路は従来の遊技台１００（図７参照）と略同様であるが、遊技台１の遊技盤面４は従来の遊技台１００の遊技盤面４００に比較して広いため、盤面構成が複雑で、遊技球Ｑの滞留時間も長く、遊技者はより高度な遊技を楽しむことができる。また、従来の遊技台１００の遊技盤面４００と実施例１の遊技台１の遊技盤面４との最大の相違点は、実施例１の遊技台１の遊技盤面４の中央表示装置４１のモニターＭは、従来の遊技台１００の遊技盤面４００の中央表示装置４１０のモニターＭ´に比較してはるかに大きいことで（約１．３倍）、モニターＭ´の画面表示機能と比較すると、モニターＭは１．３倍の情報を表示できることとなり、遊技のソフト面での展開の余地が飛躍的に向上されることとなる。なお、入賞始動装置４２や可変入賞装置４４や複数の普通入賞装置４３に入らなかった遊技球Ｑは遊技盤面４の最下部に設けられた排出口４５に入り、回収される。
【００２５】
以上、正常に発射された発射球Ｑ１（図２、図３）の経路について記述したが、発射の際になんらかの原因でＡ方向への上昇力が不足して、遊技盤面４内（図１参照）に至ることができなかった発射球Ｑ１（図２、図３参照）は、外レール５３ａにそってＢ方向（略垂直）に落下する戻り球Ｑ３となる。戻り球Ｑ３は、図２、図３に示すように、受け台６２ｋの左端部に落下するが、受け台６２ｋの左端部は前述のように微小角αだけ右に低くなるように傾斜しており、さらに中央部分から右端部分においては後方に向かうほど低くなるテーパーが付されているので、戻り球Ｑ３は自重で受け台６２ｋの右端部分に移動して、この部分の基板８（図３参照）に穿設された球入口６３ａから戻り球通路６３に導入され、戻り球通路６３を左方に移動して球出口２５から上部球受皿２２内部に戻される。なお、ストッパー６２ｌは戻り球Ｑ３が受け台６２ｋから右方に落下しないように戻り球Ｑ３を係止する作用を有するものである。
【実施例２】
【００２６】
＜実施例２の構成＞
図４は本発明の実施例２の遊技台１´の正面図である。図４に示すように、遊技台１´の構成は、正面から見た場合、実施例１と略同一であるので、同一部分即ち前枠２と上部球受皿２２、外枠３と下部球受皿３１、遊技盤面４、レール部５、ガイドレール部５３等の構成の説明は省略し、異なる部分即ち、発射機構部７、溢れ球戻り通路７３、玉供給部７４のみを以下に説明する。
【００２７】
発射機構部７はハンドルＨの上方に位置しており、前枠２の背面部に設けられ、発射装置７１とクランク機構７２から構成される。発射機構部７の詳細は図５、図６ａ〜図６ｃに示すとおりで、発射装置７１、クランク機構７２は前枠２と基板８（図６ａ参照）に挟まれた空間内に構成されている。発射装置７１はソレノイド７１ａで、７１ｂは上下動する軸であり、軸７１ｂが下向きになるように基板８に固着されている。発射装置７１は、垂直線Ｙから微小角ε（図５参照）だけ右方に傾いて設けられており、実施例２では微小角εは約１６°であるが、５°〜３０°の範囲の値をとり得るものであり、１０°〜２０°の範囲の値がより望ましい。この数値限定の根拠は以下のとおりである。すなわち、微小角εが５°を下回ると、後述のクランク機構７２のアーム７２ｂが長くなりすぎて、ソレノイド７１ａの軸７１ｂの上下動の幅が長いものとならざるを得ず、結果としてソレノイド７１ａが大型化せざるを得ない。また、微小角εが３０°を上回ると、ソレノイド７１ａの配設位置が低くなりすぎて、クランク機構７２がハンドルＨに近づきすぎることとなる。
【００２８】
クランク機構７２は遊技者から見て発射装置７１のすぐ下に位置し、図６ａ、図６ｂ、図６ｃに見るように、軸７２a、アーム７２ｂ、回動体７２ｃ、軸７２ｄ、アーム７２e、ハンマー７２ｆより構成されている。軸７２ａは逆Ｔ字型で、逆Ｔ字型の縦棒の部分がソレノイド７１ａの上下動する軸７１ｂに一体として連接されており、逆Ｔ字型の横棒の部分の両端が夫々円形断面の軸となっていて、ここにアーム７２ｂのリングｒ、ｒが夫々回動自在に軸着されている。アーム７２ｂは横倒しのＶ字型で、Ｖ字型の両端にリングｒ、ｒ、が固着されており、（図６ｂ、図６ｃ参照）Ｖ字型の鋭角部分は回動体７２ｃの右側面に固着されている。回動体７２ｃは円筒形状で、軸７２ｄに回動自在に軸着されている。軸７２ｄはその後端部が基板８に固着されている。アーム７２ｅは弧状に湾曲した円筒形状のアームで、その右端が回動体７２ｃの左側面に固着され、右端は略垂直となって先端部にハンマー７２ｆが固着されている。
【００２９】
溢れ球戻り通路７３の構成は、実施例１の溢れ球戻り通路６３（図１〜図３参照）と良く似ている。すなわち、ソレノイド７１ａの上部に受け台７３ｂが設けられていて、受け台７３ｂの左端部には戻り球Ｑ３の直径の半分以下の高さのストッパー７３ｄが突設されている。受け台７３ｂは水平線Ｘ（図５参照）に対して右方に向かって下がるように傾斜されているが、その傾斜角度は微小角ζであり、実施例２にては微小角ε＝微小角ζである。したがって、受け台７３ｂはソレノイド７１ａの中心線に対して直交していることとなるが、微小角εと微小角ζは必ずしも一致する必要はない。受け台７３ｂは中央やや右の部分で屈曲して右端部は略水平となっている。ただ、中央やや左の部分から、後端部が低下して、右端部においては前端部から後端部に向かうにしたがって低くなるようにテーパーが付されており、最右端には直立するストッパー７３ｃが受け台７３ｂと一体に上方に突設されている。ストッパー７３ｃは、前端部の高さは戻り球Ｑ３よりやや小であるが、その上面が水平なので後方にいくにしたがって高さが増し、後端部の高さは戻り球Ｑ３の直径よりやや大となる。受け台７３ｂの右端部分の後端部の基板８（図６ａ参照）には１辺が戻り球Ｑ３の直径よりやや大の略正方形状の球入口７３ａが穿設されていて、球入口７３ａは基板８の背面側に設けられた溢れ球戻り通路７３に接続されている。溢れ球戻り通路７３は、１辺が戻り球Ｑ３の直径よりやや大の略正方形状の断面を有する通路で、受け台７３ｂの右端部分に開口する球入口７３ａと上部球受皿２２の中央より右寄りの部分に開口する１辺が戻り球Ｑ３の直径よりやや大の略正方形状の球出口２５を連絡している。
【００３０】
球供給部７４はソレノイド７１ａの左方に設けられていて、前枠２と基板８（図６ａ参照）の間隔と同一の奥行きのある板状の外枠７４ｂにより上部と左端が構成され、同じく前枠２と基板８の間隔と同一の奥行きのある板状の発射台７４ｃにより下部を構成される略直方体状の空間で、外枠７４ｂの右端はゆるい曲線を描きながら上方に延伸されて内レール７４ｆとなり、内レール７４ｆの上端はガイドレール部５３の内レール５３ｂの下端に一体に接続されている。また、発射台７４ｃの右端は上方に屈曲し、ゆるい曲線を描きながら上方に延伸されて外レール７４ｅとなり、外レール７４ｅの上端は受け台７３ｂの左端に一体に連接されている。したがって、内レール７４ｆと外レール７４ｅの間には発射球Ｑ１の直径の１．５倍〜２倍程度の間隔を有する通路７４ｇが形成されている。球供給部７４の左端は上部球受皿２２の右端の後方に設けられていて、上部球受皿２２の右端に穿設された球入口７４ａが球供給部７４の左端に連通されている。また、球供給部７４の底面を構成する発射台７４ｃは、上部球受皿２２の底面２２ａと同一の傾斜をもって右方に向かうにしたがい低くなるように構成されている。そして、発射台７４ｃの右端部には発射球Ｑ１の直径よりやや小の直径を有する孔７４ｄが穿設されており、クランク機構７２のハンマー７２ｆがこの孔７４ｄの直下に位置するように構成されている。
【００３１】
＜実施例２の作用＞
図５、図６ａにおいて、上部球受皿２２の底面２２ａの右端部分にて待機球Ｑ２、Ｑ２、…が１列に整列する作用は実施例１と同様である。最右端の待機球Ｑ２は前枠２（図６ａ参照）に穿設された球入口７４ａから前枠２の背面に入るが、そこには球供給部７４の左端部が位置しており、待機球Ｑ２は球供給部７４の底面をなす発射台７４ｃに載上される。発射台７４ｃも上部球受皿２２の底面２２ａと同一の傾斜を有しているので、待機球Ｑ２は発射台７４ｃ上を右方に転動して発射台７４ｃの最右端に至り、孔７４ｄに下部が嵌合されて発射球Ｑ１となる。一方、発射装置７１のソレノイド７１ａは遊技者のハンドルＨの操作により軸７１ｂを瞬間的にａ方向に駆動し、軸７１ｂに連接された軸７２ａもａ方向に駆動され、軸７２ａに回動自在に軸着されたアーム７２ｂは左端が回動体７２ｃの右側面に固着されているので回動体７２ｃを軸７２ｄの周りに時計回りに回動させる。回動体７２ｃの左側面にはアーム７２ｅが固着されているので、アーム７２ｅも時計回りに回動し、アーム７２ｅの左端の先端に固着されたハンマー７２ｆがｂ方向に駆動され、ハンマー７２ｆの先端が発射球Ｑ１の下端を直撃し、発射球Ｑ１は急激にａ方向に弾発されて内レール７４ｆと外レール７４ｅにて形成される通路７４ｇを上昇し、さらにガイドレール部５３の通路５３ｃを上昇する。
【００３２】
発射球Ｑ１は図４において遊技球Ｑとなり、内レール５２ａと外レール５１の間の通路Ｐを上昇するが、その後の経路は実施例１と同様であるので、説明は省略する。なお、実施例２の遊技台１´の遊技盤面４の中央表示装置４１のモニターＭも、従来の遊技台１００の遊技盤面４００の中央表示装置４１０のモニターＭ´に比較してはるかに大きく（約１．３倍）、遊技のソフト面での展開の余地が飛躍的に向上されることとなるのも実施例１と同様である。
【００３３】
以上、正常に発射された発射球Ｑ１（図５、図６ａ〜図６ｃ）の経路について記述したが、発射の際になんらかの原因でＡ方向への上昇力が不足して、遊技盤面４内（図４参照）に至ることができなかった発射球Ｑ１（図５、図６ａ）は、外レール５３ａにそってｂ方向（略垂直）に落下する戻り球Ｑ３となる。戻り球Ｑ３は、図５、図６ａに示すように、受け台７３ｂの左端部に落下するが、受け台７３ｂの左端部は前述のように微小角ζ（図５）だけ右に低くなるように傾斜しており、さらに中央部分から右端部分においては後方に向かうほど低くなるテーパーが付されているので、戻り球Ｑ３は自重で受け台７３ｂの右端部分に移動して、この部分の基板８（図６ａ参照）に穿設された球入口７３ａから戻り球通路７３に導入され、戻り球通路７３を左方に移動して球出口２５から上部球受皿２２内部に戻される。なお、ストッパー７３ｃは戻り球Ｑ３が受け台７３ｂから右方に落下しないように戻り球Ｑ３を係止する作用を有するものである。
【図面の簡単な説明】
【００３４】
【図１】本発明の実施例１の遊技台の正面図である。
【図２】本発明の実施例１の遊技台の発射機構部の正面図である。
【図３】本発明の実施例１の遊技台の発射機構部の外観斜視図である。
【図４】本発明の実施例２の遊技台の正面図である。
【図５】本発明の実施例２の遊技台の発射機構部の正面図である。
【図６】（ａ）本発明の実施例２の遊技台の発射機構部の外観斜視図である。（ｂ）本発明の実施例２の遊技台の発射機構部の外観斜視図である。（ｃ）本発明の実施例２の遊技台の発射機構部のクランク機構の底面図である。
【図７】従来の遊技台の正面図である。
【符号の説明】
【００３５】
１      遊技台
１´    遊技台
２      前枠
２１    窓
２２    上部球受皿
２２ａ  底面
２３    球出口
２４    球出口
２５    球出口
３      外枠
３１    下部球受皿
３２    球出口
４      遊技盤面
４１    中央表示装置
４２    入賞始動装置
４３    普通入賞装置
４４    可変入賞装置
４５    排出口
５      レール部
５１    外レール
５２ａ  内レール
５２ｂ  内レール
５３    ガイドレール部
５３ａ  外レール
５３ｂ  内レール
５３ｃ  通路
６      発射機構部
６１    発射装置
６１ａ  ソレノイド
６１ｂ  ハンマー
６２    球供給装置
６２ａ  ローラー
６２ｂ  軸
６２ｃ  ローラー
６２ｄ  軸
６２ｅ  ベルト
６２ｆ  突片
６２ｇ  外枠
６２ｈ  孔
６２ｉ  発射台
６２ｊ  ストッパー
６２ｋ  受け台
６２ｌ  ストッパー
６３    溢れ球戻り通路
６３ａ  球入口
６４    球入口
７      発射機構部
７１    発射装置
７１ａ  ソレノイド
７１ｂ  軸
７２    クランク機構
７２ａ  軸
７２ｂ  アーム
７２ｃ  回動体
７２ｄ  軸
７２ｅ  アーム
７２ｆ  ハンマー
７３    溢れ球戻り通路
７３ａ  球入口
７３ｂ  受け台
７３ｃ  ストッパー
７３ｄ  ストッパー
７４    球供給部
７４ａ  球入口
７４ｂ  外枠
７４ｃ  発射台
７４ｄ  孔
７４ｅ  外レール
７４ｆ  内レール
７４ｇ  通路
１００  遊技台
２００  前枠
２１０  窓部
２２０  上部球受皿
２３０  球出口
２４０  球出口
２５０  球供給口
３００  外枠
３１０  下部球受皿
３２０  球出口
４００  遊技盤面
４１０  中央表示装置
４２０  入賞始動装置
４３０  普通入賞装置
４４０  可変入賞装置
４５０  排出口
５００  レール部
５１０  外レール
５２０  内レール
５３０  通路
６００  発射機構部  
６１０  発射装置
６１１  ハンマー
６２０  ガイドレール
Ａ      方向
Ｂ      方向
Ｃ      灰皿
Ｆ      風車
Ｇ      ガラス
Ｈ      ハンドル
Ｋ      飾り
Ｌ      飾りランプ
Ｍ      モニター
Ｍ´    モニター
Ｎ      釘
Ｐ      通路
Ｑ      遊技球
Ｑ１    発射球
Ｑ２    待機球
Ｑ３    戻り球
Ｓ      ストッパー
Ｘ      水平線
Ｙ      垂直線
Ｙ１    役物
Ｙ２    役物
Ｗ      枠体
ａ      方向
ｂ      方向
ｍ      電飾モール
ｒ      リング
α      微小角
β      ライン
γ      始端
δ      点
ε      微小角
ζ      微小角
【図１】
2005224483.tif 000003
【図２】
2005224483.tif 000004
【図３】
2005224483.tif 000005
【図４】
2005224483.tif 000006
【図５】
2005224483.tif 000007
【図６】
2005224483.tif 000008
【図７】
2005224483.tif 000009